(57)【要約】【課題】ディスク装置により、光ディスクの記録面の傷と汚れとを区別して検出し、しかも、その程度（大きさ）等に応じた適切な対処法等を接続先のテレビや内蔵のテレビ等の画面に表示可能にする。【解決手段】検査アクセス制御手段、ディスク異状検出手段により記録面２ａの検査アクセスにより得られた光ディスク２のＲＦ出力が汚れ検出のしきい値以下になることから光ディスク２のディスク異状を検出し、異状識別手段によりディフェクト信号生成部１２のディフェクト信号の有、無から傷と汚れとを識別し、該識別に基づき、傷検査手段、傷報知処理手段によりディフェクト信号の連続時間から傷の程度に対応する傷報知のオンスクリーン表示出力を発生し、汚れ検査手段、汚れ報知処理手段によりＲＦ出力の汚れ検出のしきい値以下の低下に基づいてふき取り勧告のオンスクリーン表示出力を発生する。【選択図】図１
2007334976.tif 000002
【特許請求の範囲】
【請求項１】
光ディスクの記録面の検査アクセスに制御する検査アクセス制御手段と、前記検査アクセスにより得られた光ピックアップのRF出力の設定した汚れ検出のしきい値以下の低下から前記光ディスクの傷や汚れによるディスク異状を検出するディスク異状検出手段と、前記RF出力の前記汚れ検出のしきい値より小さいディスク不良のしきい値以下の低下を検出してディフェクト信号を出力するディフェクト信号生成手段と、前記ディスク異状を検出したときに前記ディフェクト信号の有、無から前記ディスク異状の傷と汚れとを識別する異状識別手段と、該異状識別手段の傷の識別により前記ディフェクト信号の連続時間を計測し、該計測の結果から前記光ディスクの記録面の傷の大きさを検出する傷検査手段と、該傷検査手段の検出結果に基づいて前記光ディスクの記録面の傷の程度を判別し、前記光ディスクの記録面の傷の程度に対応する傷報知のオンスクリーン表示出力を発生する傷報知処理手段と、前記異状識別手段の汚れの識別により前記再生高周波信号が前記汚れ検出のしきい値以下になる連続時間を計測する汚れ検査手段と、該汚れ検査手段の計測時間が設定時間以上になるときにふき取り勧告のオンスクリーン表示出力を発生する汚れ報知処理手段とを備えたことを特徴とするディスク装置。
【請求項２】
請求項１記載のディスク装置において、前記傷検査手段は前記光ディスクの傷の連続時間又は該連続時間をディスク回転速度の乗算によって補正した時間から前記光ディスクの記録面の傷の大きさを検出し、前記傷報知処理手段は前記傷検査手段が検出した傷の大きさが設定された傷判別のしきい値より大きいか否を判別し、該判別に基づき、前記光ディスクの記録面に前記傷判別のしきい値より大きい傷が存在するときに前記傷報知のオンスクリーン表示出力として所定のディスク不良通知のオンスクリーン表示出力を発生し、前記光ディスクの記録面に前記傷判別のしきい値以下の傷のみが存在するときに前記傷報知のオンスクリーン表示出力として傷の大きさ、個数のオンスクリーン表示出力を発生することを特徴とするディスク装置。
【請求項３】
請求項１又は２に記載のディスク装置において、前記検査アクセス制御手段は、ディスクローディング直後に検査アクセスに制御することを特徴とするディスク装置。
【請求項４】
請求項１乃至３の何れか１つに記載のディスク装置において、前記検査アクセス制御手段は、操作指令によって検査アクセスに制御することを特徴とするディスク装置。
【発明の詳細な説明】
【技術分野】
【０００１】
本発明は、光ディスクの傷や汚れのディスク異状を検出して報知するディスク装置に関する。
【背景技術】
【０００２】
従来、映像や音声の情報が記録される光ディスクには、再生専用のＤＶＤ（ＤＶＤ−ＲＯＭ）やCD、記録再生可能なＤＶＤ（ＤＶＤ−Ｒ等）やＣＤ（ＣＤ−Ｒ等）がある。
【０００３】
そして、これらの光ディスクは、いわゆる家電機器あるいはＡＶ機器である、ＤＶＤプレーヤ、ＣＤプレーヤのようなディスク再生装置、ＤＶＤレコーダ、ＣＤレコーダのようなディスク記録再生装置、更には、これらの装置とＶＴＲとを組合わせた複合型のディスク装置、或いは、それらをテレビに内蔵したテレビ一体型のディスク装置等の種々のディスク装置によって、再生又は記録再生される。
【０００４】
なお、前記ディスク再生装置、前記ディスク記録再生装置、前記複合型のディスク装置は、再生出力端子が例えばテレビの外部入力にケーブル接続され、光ディスクから再生した映像や音声をテレビのＣＲＴ、液晶ディスプレイ等の画面表示手段、スピーカから再生出力する。又、前記テレビ一体型のディスク装置は、光ディスクから再生した映像や音声を装置内の表示手段、スピーカによって再生出力する。
【０００５】
更に、この種の光ディスクは、いわゆるパソコン（パーソナルコンピュータ）に接続（又は搭載）されたディスク装置を用いて再生（記録再生）することも可能であり、この場合は、パソコンのモニタディスプレイ（画面表示手段）、スピーカによって映像、音声が再生出力される。
【０００６】
ところで、この種の光ディスク等は記録面に傷が付いたり、記録面が塵埃や指紋によって汚れたりすることがある。
【０００７】
そして、例えば市販の記済みの光ディスクにつき、不用意な取り扱い等によって記録面に傷が付いたり、記録面が塵埃や指紋によって汚れたりすると、その光ディスクから再生された映像や音声に傷や汚れによるノイズが重畳して再生特性が劣化し、とくに、大きな傷が付いたような場合には再生不能に陥る。
【０００８】
しかしながら、ユーザは光ディスクの記録面の傷や汚れによって映像や音声が劣化していることには気付きにくく、又、全く再生が始まらなかったり、途中で再生されなくなったりした場合にも、それらの原因が光ディスクの記録面の傷や汚れであることには気付きにくい。
【０００９】
なお、記録する光ディスクの場合は、傷や汚れが付いてると、正常な記録が行なえなくなり、場合によっては記録不能になる。
【００１０】
そこで、パソコン等の上位装置の検査命令を、上位装置に接続されたディスク装置に与え、このディスク装置のディフェクト検出回路により、検査対象の光ディスクを検査アクセスし、その記録面の反射光に基づく再生高周波信号（ＲＦ信号）のレベル低下から、当該光ディスクの記録面の傷や汚れの不良（ディフェクト）を検査し、検査結果の情報を上位装置に送り、この上位装置の処理により、例えば記録面の画像にディフェクトの位置を印した映像の信号を形成し、この信号の映像を上位装置のモニタディスプレイに表示して傷や汚れの検査結果を報知することが提案されている（例えば、特許文献１参照。）。
【００１１】
なお、この種の光ディスクは偏芯や面揺れが大きい場合にもトラッキング制御やフォーカス制御が正常に行なえなくなって再生や記録が困難になることから、ディスク装置のトラッキングエラー信号、フォーカスエラー信号に基づくマイコン処理により前記偏芯や面揺れの量（大きさ）を検出して必要な表示を行なうことも提案されている（例えば、特許文献２参照）。
【特許文献１】特開平１０−２１５４８号公報（要約書、段落［００６３］−［００９１］、［０１０３］、［０１１１］、図１、図５、図９等）
【特許文献２】特開２００５−１００４８４号公報（要約書、段落［０００８］、［００２８］−［００３８］、図１、図３等）
【発明の開示】
【発明が解決しようとする課題】
【００１２】
前記従来公報（特許文献１）に記載のように、光ディスクの記録面の傷や汚れを、傷と汚れとの区別等することなく単にディスク異状（不良（ディフェクト））として検出し、その結果を画面表示するのでは、ユーザは、記録面に傷が付いているのか記録面が汚れているのかが分からないのは勿論、傷や汚れの程度（大きさ）も分からない。
【００１３】
そして、多くのユーザーは、傷や汚れの程度を知りたいのではなく、それよって再生等が行なえないのか否かを知りたいのであり、又、対処できるのであれは対処方法を知りたいのであるが、前記従来公報の装置ではこれらの要求に応えることはできない。
【００１４】
又、上述したようにパソコン等の特別な（専用の）上位装置及び、この上位装置に接続（搭載）される専用のディスク装置が必要になる。
【００１５】
そして、家電機器あるいはＡＶ機器である、従来のこの種のディスク装置にあっては、光ディスクの傷や汚れを検出してその結果を接続先のテレビや内蔵のテレビ等の画面に表示可能にしたものはない。
【００１６】
本発明は、この種のディスク装置により、光ディスクの記録面の傷と汚れとを区別して検出し、しかも、その程度（大きさ）等に応じた適切な対処法等を接続先のテレビや内蔵のテレビ等の画面に表示可能にすることを目的とする。
【課題を解決するための手段】
【００１７】
上記の目的を達成するために、本発明のディスク装置は、光ディスクの記録面の検査アクセスに制御する検査アクセス制御手段と、前記検査アクセスにより得られた光ピックアップのRF出力の設定した汚れ検出のしきい値以下の低下から前記光ディスクの傷や汚れによるディスク異状を検出するディスク異状検出手段と、前記RF出力の前記汚れ検出のしきい値より小さいディスク不良のしきい値以下の低下を検出してディフェクト信号を出力するディフェクト信号生成手段と、前記ディスク異状を検出したときに前記ディフェクト信号の有、無から前記ディスク異状の傷と汚れとを識別する異状識別手段と、該異状識別手段の傷の識別により前記ディフェクト信号の連続時間を計測し、該計測の結果から前記光ディスクの記録面の傷の大きさを検出する傷検査手段と、該傷検査手段の検出結果に基づいて前記光ディスクの記録面の傷の程度を判別し、前記光ディスクの記録面の傷の程度に対応する傷報知のオンスクリーン表示出力を発生する傷報知処理手段と、前記異状識別手段の汚れの識別により前記再生高周波信号が前記汚れ検出のしきい値以下になる連続時間を計測する汚れ検査手段と、該汚れ検査手段の計測時間が設定時間以上になるときにふき取り勧告のオンスクリーン表示出力を発生する汚れ報知処理手段とを備えたことを特徴としている（請求項１）。
【００１８】
その際、請求項１に係る請求項２のディスク装置のように、前記傷検査手段は、前記光ディスクの傷の連続時間又は該連続時間をディスク回転速度の乗算によって補正した時間から前記光ディスクの記録面の傷の大きさを検出し、前記傷報知処理手段は前記傷検査手段が検出した傷の大きさが設定された傷判別のしきい値より大きいか否を判別し、該判別に基づき、前記光ディスクの記録面に前記傷判別のしきい値より大きい傷が存在するときに前記傷報知のオンスクリーン表示出力として所定のディスク不良通知のオンスクリーン表示出力を発生し、前記光ディスクの記録面に前記傷判別のしきい値以下の傷のみが存在するときに前記傷報知のオンスクリーン表示出力として傷の大きさ、個数のオンスクリーン表示出力を発生することが好ましい（請求項２）。
【００１９】
又、請求項１又は２に係る請求項３のディスク装置のように、前記検査アクセス制御手段は、ディスクローディング直後に検査アクセスに制御することが望ましく（請求項３）、請求項１乃至３の何れかに係る請求項４のディスク装置のように、前記検査アクセス制御手段は、操作指令によって検査アクセスに制御することも好ましい（請求項４）。
【発明の効果】
【００２０】
請求項１の発明によれば、光ディスクの記録面が検査アクセス制御手段の制御によって検査アクセスされると、この検査アクセスで得られた光ピックアップのRF出力が設定した汚れ検出のしきい値以下に低下することから、ディスク異状検出手段がその光ディスクの記録面に傷あるいは汚れのディスク異状があることを検出する。
【００２１】
又、前記光ディスクの傷によってＲＦ出力が大きく低下するときには、ディフェクト信号生成手段が、その傷の走査中にディフェクト信号を出力する。
【００２２】
更に、ディスク異状が検出されたときには、異状識別手段がディフェクト信号の有、無から、ディスク異状が傷であるか汚れであるかを自動的に識別する。
【００２３】
そして、傷のディスク異状であれば、傷検査手段がディフェクト信号の連続時間を計測して光ディスクの記録面の傷の大きさを判断し、この判断に基づき、傷報知処理手段が対応する傷報知のオンスクリーン表示出力を発生する。
【００２４】
又、汚れのディスク異状であれば、汚れ検査手段によりＲＦ出力が前記汚れ検出のしきい値以下になる連続時間を計測し、この時間が設定時間以上になる汚れのふき取りが必要なときに、汚れ報知処理手段がふき取り勧告のオンスクリーン表示出力を発生する。
【００２５】
そして、傷報知のオンスクリーン表示出力及びふき取り勧告のオンスクリーン表示出力を接続先のテレビや内蔵のテレビ等に供給し、それらの画面に表示することにより、家電機器あるいはＡＶ機器であるこの種のディスク装置において、光ディスクの記録面の傷と汚れとを区別して検出し、その程度（大きさ）等に応じた適切な対処法等の報知画面を接続先のテレビや内蔵のテレビ等の画面に表示することができる。
【００２６】
又、請求項１に係る請求項２の発明によれば、ディスク異状が検出されたときに、傷検査手段により、光ディスクの記録面の傷の連続時間又は該連続時間をディスク回転速度の乗算によって補正した時間から光ディスクの記録面の傷の大きさを検出し、傷報知処理手段により、その傷が傷判別のしきい値より大きいときには、傷報知のオンスクリーン表示出力として所定のディスク不良通知のオンスクリーン表示出力を発生することができ、光ディスクの記録面に前記傷判別のしきい値以下の傷のみが存在するときには、傷報知のオンスクリーン表示出力として傷の大きさ、個数のオンスクリーン表示出力を発生することができる。
【００２７】
したがって、これらのオンスクリーン表示出力の画面により、光ディスクに重大な（大きな）傷が存在するときは、この傷のために再生不能になる可能性があることを容易に知ることができ、光ディスクに小さい傷のみが存在するときには、それらの傷がどの程度の大きさで何個あるかを知ることができ、傷の程度（大きさ）に応じた適切な画面表示を具体的に提供することができる。
【００２８】
つぎに、請求項１又は２に係る請求項３の発明によれば、再生（又は記録）のために光ディスクをローディングすると、検査アクセス制御手段の制御により、その直後に上述の検査アクセスが自動的に開始され、そのディスクの記録面の傷や汚れを自動的に検出して検査結果の上述のオンスクリーン表示出力を形成することができる。
【００２９】
又、請求項１乃至３の何れかに係る請求項４の発明によれば、例えば光ディスクから再生された映像の状態に基づき、ユーザが操作指令を発することにより、再生の途中等の任意のタイミングで、検査アクセス制御手段の制御によって上述の検査アクセスが自動的に開始され、そのディスクの記録面の傷や汚れを自動的に検出して検査結果の上述のオンスクリーン表示出力を形成することができる。
【発明を実施するための最良の形態】
【００３０】
次に、本発明をより詳細に説明するため、その一実施形態について、図１〜図９にしたがって詳述する。
【００３１】
図１は本発明のディスク装置の１例であるテレビ一体型のディスク装置１の概略のブロック図、図２はディスク装置１のＲＦ信号、ディフェクト信号の説明図、図３はディスク装置１のディスク検査処理のフローチャート、図４は図３の傷検査処理の詳細なフローチャート、図５は図３の汚れ検査処理の詳細なフローチャートである。
【００３２】
図６はディスク装置１がローディングした光ディスク２の記録面２ａに大きな傷が存在するときの表示画面例の説明図、図７は同光ディスク２をそのまま再生するか否かのユーザ選択画面例の説明図、図８はは同光ディスク２の記録面２ａに小さな傷が存在するときの表示画面例の説明図、図９は同光ディスク２の記録面２ａにふき取りが必要な汚れが存在するときの表示画面例の説明図である。
【００３３】
［基本説明］
図１に示すディスク装置１の基本的な構成を、再生の処理とともに説明する。
【００３４】
図１に示すディスク装置１は、光ディスクの記録再生機能を有し、例えば市販の記録済みＤＶＤ−ＲＯＭやＣＤの光ディスク２を再生する際は、光ディスク２が、その記録面２ａを下面にしてディスクトレイ（図示せず）に載置される。
【００３５】
この状態でディスク装置１の取り込み／取り出しの操作釦（図示せず）が押されると、周知のディスクトレイ引き込み動作により、光ディスク２はスピンドルモータ（ディスクモータ）３によって回転するターンテーブル４の上面に移って再生ローディングされる。
【００３６】
そして、ローディングされた光ディスク２はターンテーブル４とその上部の回転自在のディスククランパ５とによって中心部が上下方向から挟まれた状態で回転する。
【００３７】
また、光ディスク２の下面側に設けられた光ピックアップ６が、サーボ制御部７の周知のフィードバック制御により、ディスクアクセスの制御にしたがって光ディスク２の記録面２ａを半径方向に横切るように紙面左右方向（装置前後方向）に移動する。
【００３８】
なお、サーボ制御部７はスピンドルモータ３の回転もフィードバック制御する。
【００３９】
そして、光ピックアップ６は、光ディスク２の記録面２ａを半径方向に横切るように移動する間に記録面２ａに向けて（上方に向けて）情報読出しのレーザ光を照射し、その反射光を受波して記録面２ａに記録された信号を取り出す。
【００４０】
更に、光ピックアップ６の出力信号が後段のＲＦアンプ部８のＲＦ信号生成部９、フォーカスエラー信号（以下、ＦＥ信号という）生成部１０、トラッキングエラー信号（以下、ＴＥ信号という）生成部１１に送られ、ＲＦ信号生成部９は光ピックアップ６の映像や音声の信号の周知の８／１６変調波を含むＲＦ出力（以下、ＲＦ信号という）を抽出して生成し、ＦＥ信号生成部１０、ＴＥ信号生成部１１は、光ピックアップ６の出力信号から周知の非点収差法等により、ＦＥ信号、ＴＥ信号を生成する。
【００４１】
そして、ＲＦ信号生成部９のＲＦ信号はディフェクト信号生成部１２を通ってデジタル信号処理部（ＤＳＰ）１３に送られ、ＦＥ信号生成部１０のＦＥ信号、ＴＥ信号生成部１１のＴＥ信号は直接にデジタル信号処理部１３に送られる。
【００４２】
このデジタル信号処理部１３は後段のマイクロコンピュータ（ＣＰＵ）構成の記録再生制御処理部１４の制御によって種々の信号処理手段を形成し、基本的には、ＲＦ信号の復調処理やＦＥ信号、ＴＥ信号に基づくスピンドルモータ３の回転、光ピックアップ６の移動のサーボ制御処理（フィードバック制御処理）を行なう。
【００４３】
次に、デジタル信号処理部１３により復調されたデジタルの再生映像、再生音声の信号は記録再生制御処理部１４に送られ、この記録再生制御処理部１４により、ユーザ選択等に基づく再生条件にしたがって加工されるとともに、メモリ１５のデータに基づく後述のオンスクリーン表示出力の信号との合成等が施される。
【００４４】
そして、記録再生制御処理部１４の再生処理後のデジタル又はアナログの映像、音声の信号がテレビユニット１６の表示部１７、音声出力部１８に送られ、周知のテレビ信号処理に基づき、表示部１７のＣＲＴ、液晶ディスプレイ、又はプラズマディスプレイの画面に再生した映像を表示し、音声出力部１８のスピーカから再生した音声を出力する。
【００４５】
［ディスク検査の説明］
次に、ディスク装置１のディスク検査について説明する。
【００４６】
まず、ディスク装置１の電源投入等に基づいて、記録再生制御処理部１４は設定された図３のディスク検査処理のプログラムを実行し、そのステップＡ１によりディスクローディングを待機する。
【００４７】
そして、上記のように光ディスク２を再生する場合、光ディスク２がターンテーブル４の上面に移って再生ローディングされることにより、ステップＡ１からステップＡ２に移行し、このとき、記録再生制御処理部１４が形成する検査アクセス制御手段により、デジタル信号処理部１３を介してサーボ制御部７に、例えば、光ディスク２の設定倍速の高速回転と、光ピックアップ６のディスク最内周から最外周までの半径方向の移動とが指令され、光ディスク２がいわゆる高速検索の手法で高速に検査アクセスされる。なお、高速に検査アクセスするのは、本発明の傷や汚れの検出を極力短時間に行なうためであり、再生の倍速数は実験等によって適当に設定される。又、時間の余裕があるような場合には、標準（１倍速）再生で検査アクセスを行なってもよい。
【００４８】
次に、ディフェクト信号生成部１２は本発明のディフェクト信号生成手段を形成し、前記検査アクセスに基づきＲＦ信号生成部９から出力された図２（ａ）の光ディスク２のＲＦ信号ｒｆの極大ピークレベル（トップレベル）、極小ピークレベル（ボトムレベル）のピークホールドをくり返し、ＲＦ信号ｒｆの同図中のトップホールドレベルＴｏｐ・ＨＬ、ボトムホールドレベルＢｏｔｔｍ・ＨＬを検出し、トップホールドレベルＴｏｐ・ＨＬと設定されたディスク不良のしきい値ｔｈａとを比較し、Ｔｏｐ・ＨＬ≦ｔｈａのときに、ＲＦ信号のディスク不良のしきい値ｔｈａ以下の低下を検出して同図（ｂ）に示すハイレベルＨｉｇｈのディフェクト信号ｄｆを出力する。
【００４９】
ところで、ディスク不良のしきい値ｔｈａは光ディスク２の傷を検出するしきい値であり、図２（ｃ）に示すように汚れ検出のしきい値ｔｈｂより小さい（低レベル）。そして、しきい値ｔｈａ、ｔｈｂはいずれも実験等によって決定される。なお、図２（ｃ）において、αは汚れの部分を示し、βは傷の部分を示す。
【００５０】
そして、ディフェクト信号生成部１２からデジタル信号処理部１３に、時々刻々のＲＦ信号ｒｆ、ディフェクト信号ｄｆが送られる。
【００５１】
この状態で図３のステップＡ２からステップＡ３に移行すると、記録再生制御処理部１４の制御によってデジタル信号処理部１３がディスク異状検出手段を形成し、このディスク異状検出手段は、ステップＡ３、Ａ４、Ａ５のループにより、検査アクセスにより得られた光ディスク２のＲＦ信号ｒｆが汚れ検出のしきい値ｔｈｂ以下に低下することから、光ディスク２の記録面２ａ全体の傷や汚れによるディスク異状を検出する。
【００５２】
そして、記録面２ａのどこにもＲＦ信号ｒｆが汚れ検出のしきい値ｔｈｂ以下に低下する個所がなく、ディスク異状が全く検出されず、光ディスク２が傷や汚れのない良好な状態であれば、ステップＡ５からステップＡ６に移行し、記録再生制御処理部１４がデジタル信号処理部１３を介してサーボ制御部７に通常の再生のサーボ制御を指令し、このディスク検査処理を終了して本来の再生（実再生）を開始する。
【００５３】
一方、記録面２ａの一又は複数の個所にＲＦ信号ｒｆが汚れ検出のしきい値ｔｈｂ以下に低下する個所があり、ディスク異状が検出されると、その都度、ステップＡ４からステップＡ７に移行する。
【００５４】
そして、記録再生制御処理部１４の制御によってデジタル信号処理部１３が異状識別手段を形成し、この異状識別手段は、ディスク異状の検出によりディフェクト信号ｄｆの有、無からディスク異状の傷と汚れとを識別する。具体的には、ステップＡ７、Ａ８により、ディフェクト信号ｄｆのハイレベルＨｉｇｈを検出すると傷であると識別し、ディフェクト信号ｄｆのローレベルＬｏｗを検出すると汚れであると識別する。
【００５５】
＜傷が存在する場合＞
次に、ディフェクト信号ｄｆのハイレベルＨｉｇｈを検出して傷であると識別すると、ステップＡ８からステップＡ９の傷検査表示処理に移行する。この傷検査表示処理は図４のステップＢ１〜Ｂ１０からなる。
【００５６】
そして、図４のステップＢ１〜Ｂ３においてはデジタル信号処理部１３が傷検査手段を形成し、この傷検査手段は、ステップＢ１によりディフェクト信号ｄｆのハイレベルＨｉｇｈの連続時間をカウントして計測し、その後ステップＢ２に移行し、カウントした連続時間を、光ディスクの回転速度の乗算によって補正し、補正後の連続時間から光ディスク２の記録面２ａの傷の大きさ（長さ）を検出する。なお、前記補正が不要な場合は、傷検査手段はステップＢ２において、ステップＢ１によりカウントした連続時間をそのまま傷の大きさとして検出する。
【００５７】
更に、図４のステップＢ２からステップＢ３に移行すると、記録再生制御処理部１４が傷報知処理手段を形成し、この傷報知処理手段は、ステップＢ３における光ディスク２の記録面２ａの傷の大きの検出結果に基づいて光ディスク２の記録面２ａの傷の程度を判別する。具体的には、ステップＢ３で検出した光ディスク２の記録面２ａの傷の大きと実験等に基づいて設定された傷判別のしきい値（長さ）とを比較して光ディスク２の記録面２ａの傷の程度を判別する。
【００５８】
この判別に基づき、光ディスク２の記録面２ａに傷判別のしきい値より大きい傷（再生困難な傷）が存在するときには図４のステップＢ３からステップＢ４に移行し、傷報知のオンスクリーン表示出力としてメモリ１５の再生用のディスク不良通知のオンスクリーン表示出力のデータを読出して映像出力と合成し、合成した映像出力を表示部１７に供給し、表示部１７により例えば図６に示す再生不能予告画面Ｐ１をオンスクリーン表示する。なお、記録時には記録用のディスク不良通知のオンスクリーン表示出力のデータを読出して映像出力と合成し、表示部１７に記録不能予告画面Ｐ１を表示する。
【００５９】
そして、再生不能予告画面Ｐ１は、大きな傷が存在するので、この光ディスク２を再生すると途中で停止する（フリーズする）可能性がある旨のメッセージを報知するものであり、このメッセージによってユーザは光ディスク２の記録面２ａに大きな傷が存在することを知ることができる。
【００６０】
ところで、再生不能予告画面Ｐ１には次ページ選択の釦ｋａがあり、この釦ｋａをユーザが付属のリモコン（図示せず）のキー操作等でクリックすると、図４のステップＢ４からステップＢ５に移行し、前記傷報知処理手段はディスク不良通知のオンスクリーン表示出力のデータに代えて、図７に示すユーザ選択画面Ｐ２のオンスクリーン表示出力のデータをメモリ１５から読出し、このデータを映像出力と合成し、合成した映像出力を表示部１７に供給し、表示部１７にユーザ選択画面Ｐ２をオンスクリーン表示する。
【００６１】
そして、ユーザがユーザ選択画面Ｐ２のＹＥＳ、ＮＯの釦ｋｂ、ｋｃをクリックすることにより、光ディスク２の再生を開始するか否かを選択することができ、この選択によってディスク検査処理が終了する。
【００６２】
一方、図４のステップＢ３において、光ディスク２の記録面２ａの傷が傷判別のしきい値以下の小さい傷（再生可能な傷）であると、前記傷報知処理手段はステップＢ３からステップＢ６に移行し、このステップＢ６からステップＢ７を通って図３のステップＡ３に戻るループ処理により、ディフェクト信号ｄｆのハイレベルＨｉｇｈへの立ち上がり毎に傷の個数を１つカウントアップして記録面２ａの比較的小さな傷の個数をカウントする。
【００６３】
なお、この実施形態においては、後述の傷の大きさ、個数の表示を傷の大きさの複数の範囲別に行なうため、傷判別のしきい値以下の小さい傷を、全数カウントするだけでなく、設定した傷の大きさの範囲別にカウントする。
【００６４】
そして、傷のカウントを記録面２ａ全体について行なうと、ステップＢ７からステップＢ８に移行し、前記傷報知処理手段は傷の個数（全数）が実験等に基づいて設定された再生許容限界のしきい値より多いか否かを判別する。
【００６５】
この判別において、光ディスク２の記録面２ａに小さな傷が許容限界のしきい値より多数個存在し、再生映像のノイズが一定以上になると予想されるときには、図４のステップＢ８からステップＢ９に移行し、傷報知のオンスクリーン表示出力として、例えば図８に示す傷の大きさ、個数の表示画面Ｐ３のオンスクリーン表示出力のデータをメモリ１５から読出して映像出力と合成し、合成した映像出力を表示部１７に供給し、表示部１７に表示画面Ｐ３をオンスクリーン表示する。
【００６６】
なお、表示画面Ｐ３によって傷の大きさ、個数を傷の大きさの範囲別に表示するため、表示画面Ｐ３のオンスクリーン表示出力のデータはステップＢ２の測定、ステップＢ６の確認に基づいて得られた傷の大きさの範囲別の個数のデータを用いて形成される。又、表示画面Ｐ３にはそれらの傷が再生に影響する旨のメッセージを含む。
【００６７】
そして、表示画面Ｐ３のオンスクリーン表示によってユーザは光ディスク２の記録面２ａに再生に影響するような傷が存在することを知ることができる。
【００６８】
なお、表示画面Ｐ３にも次ページ選択の釦ｋａがあり、この釦ｋａをユーザが前記リモコンのキー操作等でクリックすると、図４のステップＢ９からステップＢ５に移行し、図７のユーザ選択画面Ｐ２のオンスクリーン表示出力のデータをメモリ１５から読出し、このデータを映像出力と合成し、合成した映像出力を表示部１７に供給し、表示部１７にユーザ選択画面Ｐ２をオンスクリーン表示する。
【００６９】
そして、ユーザがユーザ選択画面Ｐ２のＹＥＳ、ＮＯの釦ｋｂ、ｋｃをクリックすることにより、光ディスク２の再生を開始するか否かを選択することができ、この選択によってディスク検査処理が終了する。
【００７０】
ところで、図４のステップＢ８の判別において、傷の個数（全数）が許容限界のしきい値以下であれば、正常な再生が行なえると予想されるので、ステップＢ８からステップＢ１０に移行して光ディスク２の再生を自動的に開始する。
【００７１】
＜汚れが存在する場合＞
次に、図３のステップＡ７、８により、ディフェクト信号ｄｆのローレベルＬｏｗを検出して汚れであると識別すると、ステップＡ８からステップＡ１０の汚れ検査表示処理に移行する。この傷検査表示処理は図５のステップＣ１〜Ｃ６からなる。
【００７２】
そして、図５のステップＣ１においてはデジタル信号処理部１３が汚れ検査手段を形成し、この汚れ検査手段は、トップホールドレベルＴｏｐ・ＨＬが汚れ検出のしきい値ｔｈｂ以下になる連続時間をカウントして、ＲＦ信号ｒｆが汚れ検出のしきい値ｔｈｂ以下になる連続時間を計測する。
【００７３】
更に、図５のステップＣ１からステップＣ２に移行すると、記録再生制御処理部１４が汚れ報知処理手段を形成し、この汚れ報知処理手段は、ステップＣ２によりステップＣ１でカウントした時間が実験等によって設定された汚れ許容限界のしきい値の時間より長いか否かを判定し、汚れの程度を判定する。
【００７４】
そして、ステップＣ１でカウントした時間が汚れ許容限界のしきい値の時間より長くなり、汚れ検査手段の計測時間が設定時間以上になると、ステップＣ２からステップＣ３に移行し、ふき取り勧告のオンスクリーン表示出力を発生する汚れ報知のオンスクリーン表示出力としてメモリ１５の所定のふき取り勧告のオンスクリーン表示出力のデータを読出して映像出力と合成し、合成した映像出力を表示部１７に供給し、表示部１７により例えば図９に示すふき取り勧告画面Ｐ４をオンスクリーン表示する。
【００７５】
そして、ふき取り勧告画面Ｐ４は、再生に影響する汚れが存在するのでふき取ることを勧め、その方法を提示するメッセージの画面であり、この画面のメッセージによってユーザは光ディスク２の記録面２ａにふき取りが必要な汚れが存在すること及び、そのふき取り方法を知ることができる。
【００７６】
なお、ふき取り勧告画面Ｐ４にも次ページ選択の釦ｋａがあり、この釦ｋａをユーザが付属のリモコンのキー操作等でクリックすると、図５のステップＣ３からステップＣ４に移行し、前記汚れ報知処理手段はふき取り勧告のオンスクリーン表示出力のデータに代えて、図７に示したユーザ選択画面Ｐ２のオンスクリーン表示出力のデータをメモリ１５から読出し、このデータを映像出力と合成して表示部１７にユーザ選択画面Ｐ２をオンスクリーン表示する。
【００７７】
そして、ユーザがユーザ選択画面Ｐ２のＹＥＳ、ＮＯの釦ｋｂ、ｋｃをクリックすることにより、光ディスク２の再生を開始するか否かを選択することができ、この選択によってディスク検査処理が終了する。
【００７８】
一方、図５のステップＣ２において、ステップＣ１でカウントした時間が汚れ許容限界のしきい値の時間より短く、汚れ検査手段の計測時間が設定時間より短いときには、前記汚れ報知処理手段はステップＣ２からステップＣ５に移行し、このステップＣ５から図３のステップＡ３に戻る処理により、記録面２ａ全体について検査する。
【００７９】
そして、記録面２ａのどの個所についてもステップＣ１でカウントした時間が汚れ許容限界のしきい値の時間より短くなり、汚れ検査手段の計測時間が設定時間より短くなるときには、正常な再生が行なえると予想されるので、ステップＣ５からステップＣ６に移行し光ディスク２の再生を自動的に開始し、ディスク検査処理を終了する。
【００８０】
以上説明したように、本実施形態の場合、ディスク装置１に再生ローディングされた光ディスク２につき、ディスク装置１によって、ローディング直後に自動的に記録面２ａの傷、汚れの状態を検査し、記録面２ａの傷と汚れとを区別して検出し、それぞれの程度（大きさ）等に応じた適切な対処法等のオンスクリーン表示出力を発生することができる。
【００８１】
そして、このオンスクリーン表示出力を内蔵のテレビユニット１６の表示部１７に画面表示するようにしたため、光ディスク２の記録面２ａの傷及び汚れの程度を、傷と汚れとを区別して分かり易く報知することができるとともに、それらの程度に応じて、予想される不都合や必要な対処法を分かり易く提供することができる。
【００８２】
したがって、パソコン等の特別な（専用の）上位装置及び、この上位装置に接続（搭載）される専用のディスク装置等を用いることなく、家電機器あるいはＡＶ機器であるディスク装置１により、光ディスク２の記録面２ａの傷及び汚れを区別して検出し、しかも、その程度（大きさ）等に応じた適切な対処法等を内蔵のテレビユニット１６の画面に表示することができる。
【００８３】
そして、本発明は上記した実施形態に限定されるものではなく、その趣旨を逸脱しない範囲において上述したもの以外に種々の変形実施を行なうことが可能であり、例えば、ディスク装置１の各手段の図３〜図５の処理手順や各表示画面Ｐ１〜Ｐ４等は実施形態のものに限られるものではない。
【００８４】
又、例えば前記付属のリモコンにディスク検査の指令操作キー（釦）を設け、ローディングされた光ディスク２の再生中や再生条件の設定中等に、前記指令走査キーをユーザが押すことにより、光ディスク２の再生途中等の任意のタイミングに、記録再生制御処理部１４によって図３のディスク検査処理のプログラムを実行し、上述の傷、汚れのディスク検査を行なうようにしてもよい。
【００８５】
更に、本発明のディスク装置は、例えばディスク装置１からテレビユニット１６を省いた構成のディスク再生装置やディスク記録再生装置、複合ディスク装置等であってもよく、この場合は、前記各オンスクリーン表示出力を、本ディスク装置に信号線（ケーブル）接続される次段のテレビに供給するようにして、前記各画面Ｐ１〜Ｐ４をそのテレビに表示してもよい。
【００８６】
そして、本発明は、光ディスク２が記録（追記録等を含む）するためのディスクの場合にも、記録ローディング直後、ディスク検査の指令操作キー（釦）の操作時に、上述の検査アクセスの制御を行なって同様のディスク検査処理を実行することにより、前記実施形態の場合と同様にして記録面２ａの傷、汚れの検査を行なうことができるのは勿論であり、種々のディスク装置の種々の光ディスク（いわゆる光磁気ディスク等も含む）の再生、記録再生におけるディスク検査に適用することができる。その際、光ディスクは映像や音声以外の信号が再生又は記録再生されたディスクであってもよい。
【図面の簡単な説明】
【００８７】
【図１】本発明の一実施形態のディスク装置の概略のブロック図である。
【図２】同上、ディスク装置のＲＦ信号、ディフェクト信号及び汚れ、傷の検出の説明図であり、（ａ）はＲＦ信号とディスク不良のしきい値の説明図、（ｂ）はディフェクト信号の説明図、（ｃ）はＲＦ信号に対する汚れ検出のしきい値とディスク不良のしきい値との関係の説明図である。
【図３】同上、ディスク装置のディスク検査処理のフローチャートである。
【図４】同上、ディスク装置の図３のディスク検査処理における傷検査処理の詳細なフローチャートである。
【図５】同上、ディスク装置の図３のディスク検査処理における汚れ検査処理の詳細なフローチャートである。
【図６】同上、ディスク装置がローディングした光ディスクの記録面に大きな傷が存在するときの表示画面例の説明図である。
【図７】同上、ディスク装置がローディングした光ディスクをそのまま再生するか否かのユーザ選択画面例の説明図である。
【図８】同上、ディスク装置がローディングした光ディスクの記録面に小さな傷が存在するときの表示画面例の説明図である。
【図９】同上、ディスク装置がローディングした光ディスクの記録面にふき取りが必要な汚れが存在するときの表示画面例の説明図である。
【符号の説明】
【００８８】
１    ディスク装置
２    光ディスク
２ａ    記録面
８    ＲＦアンプ部
９    ＲＦ信号生成部
１２    ディフェクト信号生成部
１３    デジタル信号処理部
１４    記録再生制御処理部
【図１】
2007334976.tif 000003
【図２】
2007334976.tif 000004
【図３】
2007334976.tif 000005
【図４】
2007334976.tif 000006
【図５】
2007334976.tif 000007
【図６】
2007334976.tif 000008
【図７】
2007334976.tif 000009
【図８】
2007334976.tif 000010
【図９】
2007334976.tif 000011